(57)【要約】【課題】本発明は、山型の反射板を用いた照明器具にＬＥＤ照明管を取り付ける場合、このＬＥＤ照明管のＬＥＤ基盤と２個の端子を結ぶ直線との配置関係を外側に広角になるように設定し、外側に広い配光を可能としたＬＥＤ照明器具を提供する。【解決手段】  本発明は好ましくは断面円形で長尺なＬＥＤ照明管と、該ＬＥＤ照明管のＬＥＤを光らせるのに必要な機能を搭載し前記ＬＥＤ照明管の内部に配置される長尺なＬＥＤ基盤と、前記ＬＥＤ照明管の端部に該ＬＥＤ照明管と電気的に導通して設けられた２個の端子とからなり、前記ＬＥＤ照明管の軸断面方向において前記２個の端子を結ぶ直線と前記ＬＥＤ基盤とを非並行の配置的関係としたことを特徴とするＬＥＤ照明器具。【選択図】図４
2010080313.tif 000002
【特許請求の範囲】
【請求項１】
好ましくは断面円形で長尺なＬＥＤ照明管と、該ＬＥＤ照明管のＬＥＤを光らせるのに必要な機能を搭載し前記ＬＥＤ照明管の内部に配置される長尺なＬＥＤ基盤と、前記ＬＥＤ照明管の端部に該ＬＥＤ照明管と電気的に導通して設けられた２個の端子とからなり、前記ＬＥＤ照明管の軸断面方向において前記２個の端子を結ぶ直線と前記ＬＥＤ基盤とを非並行の配置的関係としたことを特徴とするＬＥＤ照明器具。
【請求項２】
好ましくは断面円形で長尺なＬＥＤ照明管と、該ＬＥＤ照明管のＬＥＤを光らせるのに必要な機能を搭載し前記ＬＥＤ照明管の内部に配置される長尺なＬＥＤ基盤と、前記ＬＥＤ照明管の端部に該ＬＥＤ照明管と電気的に導通して設けられた２個の端子とからなり、前記ＬＥＤ照明管の軸断面方向において前記２個の端子を結ぶ直線と前記ＬＥＤ基盤とを外側で広角にした配置関係としたことを特徴とするＬＥＤ照明器具。
【発明の詳細な説明】
【技術分野】
【０００１】
本発明は、例えば天井に取り付けられた蛍光灯照明器具の蛍光灯をＬＥＤ照明管に交換して照明器具としたＬＥＤ照明器具に関するものである。
【背景技術】
【０００２】
最近、電力消費が桁違いに低く長寿命のＬＥＤが開発されているが、このＬＥＤを長尺な蛍光灯に変えて使用することが加速されている。このＬＥＤ照明管は図２に示すように透明な円形パイプのＬＥＤ照明管２４中に長尺で平板な基盤にＬＥＤを必要数配置したＬＥＤ基盤２８を挿入配置し、これに電力を通電して照明するものである。
【０００３】
構造的には図１の従来の山型の取付基台２１の反射板２２上に配置された長尺な蛍光灯２３を取り去り図２で示すＬＥＤ照明管２４を取り付けて照明装置とするものである。２５は口金で２６は端子、２７はソケットである。
【０００４】
前記端子２６とソケット２７の受口２９とＬＥＤ基盤２８との位置的な相関関係は図３に示すように２個の端子２６を結ぶ直線がＬＥＤ基盤２８と平行に配置されている。従って、前記浮口２９に端子２６を挿入した場合、ＬＥＤ基盤２８が反射板２２と平行になり反射板２２で反射された光が広く（図では右側）外側に広角で配光されないものである。
【０００５】
此の場合、ＬＥＤ基盤２８は上面に配置されたＬＥＤの光りを下側に対して遮ってしまうので横方向への配光りは一層少なくなっている。又２本のＬＥＤ基盤２８を用いる照明装置では並んで配置されるＬＥＤ照明管２４の近い箇所は２本のＬＥＤ照明管２４で十分に明るいので左右のＬＥＤ照明管２４の外側への配光を十分なものとしなければならない。
【０００６】
特許文献１には、以上のことを配慮するような記述も無く他のものにも開示されていないのが現状である。
【特許文献１】特開２００８−６６０４３号公報
【発明の開示】
【発明が解決しようとする課題】
【０００７】
本発明が解決しようとする問題点は、山型の反射板を有する照明装置のＬＥＤ照明管の配光を外側に向かって広範囲にすることによって広い照明範囲を確保する点にある。
【課題を解決するための手段】
【０００８】
本発明は、円形長尺なＬＥＤ照明管と、該照明管の内部に配置される長尺なＬＥＤ基盤と、前記照明管の端部に設けられた２個の端子とからなり、前記ＬＥＤ照明管の軸断面方向において前記２個の端子を結ぶ直線と前記ＬＥＤ基盤とを非並行に配置したことを特徴とする。
【発明の効果】
【０００９】
請求項１記載の発明によれば、反射板に対してＬＥＤ基盤が非平行に配置されるので広範囲な配光が実現できるＬＥＤ照明器具を提供できる。
【発明を実施するための最良の形態】
【００１０】
本発明は、ＬＥＤ照明器具特に２本のＬＥＤ照明管を用いた場合、外側の照明の配光を広範囲にして周囲を明るくするＬＥＤ照明器具を提供する目的を有する。
【００１１】
本発明は、円形長尺なＬＥＤ照明管と、該照明管の内部に配置される長尺なＬＥＤ基盤と、前記照明管の端部に設けられた２個の端子とからなり、前記ＬＥＤ照明管の軸断面方向において前記２個の端子を結ぶ直線と前記ＬＥＤ基盤とを非並行に配置することで目的を実現した。
【実施例】
【００１２】
以下に、本発明の実施例を図４を参照して詳細に説明する。図４はＬＥＤ照明装置を端部からみたもので、従って、ソケット、ＬＥＤ照明管の端部が現れていてそれらの配置関係を模式的に表している。
【００１３】
１は取付基台で反射板２、３を山型に組み合わせた従来の基台である。４１及び４２は取付基台１の両端に配備される従来のソケットで該ソケット４１及び４２は一個のソケット４１及び４２当たり２個の受口５１、５２及び５３，５４を有する。この２個の夫々一対の受口５１，５２及び５３，５４を結ぶ直線は前記反射板２，３の傾斜と平行の関係に設定されている。
【００１４】
このように配置された受口５１、５２及び５３，５４にはＬＥＤ照明管６，７の端子８１、８２及び９１、９２が位置的に対応する。このＬＥＤ照明管６，７は内部に多数のＬＥＤ１０を照明可能に機能させて配置したＬＥＤ基盤１１、１２を配置している。そして、受口５１，５２の間隔と端子８１，８２の位置的間隔は一致していて、端子８１、８２が受口５１，５２に電気的、機械的に結合できる構造になっている。この場合受口５３，５４と端子９１，９２の対応間隔も同様である。
【００１５】
前記ＬＥＤ基盤１１，１２の水平位置に対して夫々の端子８１，８２及び８３，８４間を結ぶ直線は外側に開くように配置設定をしてある。即ち端子８１，８２及び８３，８４の各々を結ぶ直線は前記受口５１，５２及び５３，５４を結ぶ直線と平行で、この平行関係は反射板２及び３にも対応している。
【００１６】
即ち、前記ＬＥＤ基盤１１，１２は上面にはＬＥＤ１０素子が配置されるからＬＥＤ基盤１１，１２上面に対しては明るくなるがＬＥＤ基盤１１，１２の下側にはＬＥＤ１０の光がＬＥＤ基盤１１，１２に遮られて配光が少なくなる。従って、端子８１，８２及び９１，９２を結ぶ直線に対してＬＥＤ基盤１１を端部からみて非平行にすることで外側に対してＬＥＤ基盤１１，１２と反射板２，３との関係で広角になり外側への配光を広くできることになる。
【００１７】
ここで図４の右側でＬＥＤ照明管６をソケット４１に取り付ける場合を説明すると、ソケット４１の受口５１，５２を結ぶ直線は元々反射板２の傾斜と一致（平行）していて、この受口５１，５２に下側のＬＥＤ照明管６の端子８１，８２を機構的に電気的に結合すると、ＬＥＤ照明管６のＬＥＤ基盤１１と端子８１，８２を結ぶ直線とは非平行（外側が開いた位置関係）であるがために図示点線で示すように反射板２とＬＥＤ基盤１１との関係は外側（図の右側）で広角になり、従って、光の量を多く反射板２の右側で配光することができることになる。図４の左側でも同様な効果を挙げることができるものである。
【００１８】
又、本実施例ではＬＥＤ照明管６，７をソケット４１，４２に取り付ける場合右側用と左側用とに判別して行う必要がある。
【産業上の利用可能性】
【００１９】
本発明は、山型の反射板を設けた照明器具の蛍光灯をＬＥＤ照明管に交換する場合に有用で特に電力消費が少なく、耐久性も長い環境にやさしいい状況を保ちつつ外側への広い配光を実現できるもので産業上有効である。
【図面の簡単な説明】
【００２０】
【図１】天井に配置される照明器具の概略図である。
【図２】天井に配置される照明器具の概略図である。
【図３】天井に配置される照明器具の概略図である。
【図４】本発明の実施例に係るＬＥＤ照明器具の配置概略構成図である。
【符号の説明】
【００２１】
１            取付基台
２，３        反射板
４１、４２    ソケット
５１、５２    受口
５３，５４    受口
６，７        ＬＥＤ照明管
８１，８２    端子
９１，９２    端子
１０          ＬＥＤ
１１、１２    ＬＥＤ基盤
【図１】
2010080313.tif 000003
【図２】
2010080313.tif 000004
【図３】
2010080313.tif 000005
【図４】
2010080313.tif 000006